(57)【要約】【課題】不連続部１１ｂを挟んで設けられた円周方向一端のポケット２１ａと、円周方向他端のポケット２２ａに配置された各ころの転動面と、外輪、内輪各軌道との転がり接触部の面圧が過大になる事を防止できる構造を実現する。【解決手段】前記不連続部１１ｂを挟んで設けられた円周方向一端部１２ａと円周方向他端部１３ａとを軸方向に関する相対変位を阻止する状態で係合する為の係合部１４ａを、第一の凹凸部１５ｂと第二の凹凸部１６ｂとにより構成する。又、この第一の凹凸部１５ｂを、第一の係合凸部１７ｂと、１対の第一の係合凹部１８ｂ、１８ｂとにより構成する。一方、第二の凹凸部１６ｂを、１対の第二の係合凸部１９ｂ、１９ｂと、第二の係合凹部２０ｂとにより構成する。そして、前記第一の係合凸部１７ｂに、この第一の係合凸部１７ｂを径方向に貫通した状態で、係合部側ポケット２３ａを形成する。【選択図】図１
2014015984.tif 000002
【特許請求の範囲】
【請求項１】
少なくとも円周方向１箇所に不連続部を有するものであり、
複数個のリム部と、複数本の柱部と、複数個のポケットと、係合部とを備え、
このうちの各リム部は、それぞれが欠円環状で、軸方向に間隔をあけて互いに同心に設けられており、
前記各柱部は、円周方向に亙って間欠的に、前記各リム部同士の間に掛け渡される状態で設けられており、
前記各ポケットは、軸方向に隣り合うリム部と円周方向に隣り合う柱部とにより四周を囲まれる部分に設けられており、
前記係合部は、前記不連続部を挟んで設けられた端部同士の少なくとも一方の軸方向に関する相対変位を阻止する状態で係合するものであるラジアルころ軸受用保持器に於いて、
前記係合部は、前記不連続部を挟んで設けられた端部のうちの、一方の端部に、円周方向に延出する状態で設けられた第一の係合凸部と、他方の端部に、円周方向に延出する状態で設けられた第二の係合凸部とを、軸方向に関して係合させて成るものであり、前記第一の係合凸部と、この第二の係合凸部とのうちの少なくとも一方の凸部に、これら凸部を径方向に貫通した状態で係合部側ポケットを形成している事を特徴とするラジアルころ軸受用保持器。
【発明の詳細な説明】
【技術分野】
【０００１】
この発明は、ラジアルころ（ニードルを含む）軸受用保持器の改良に関する。具体的には、円周方向の少なくとも１箇所に不連続部を有し、この不連続部を挟んで設けられた端部同士を係合部により係合しているラジアルころ軸受用保持器に関して、この係合部の構造を工夫する事により、前記不連続部を挟んで設けられた円周方向一端のポケットと、円周方向他端のポケットとに配置された各ころの転動面と、外輪、内輪各軌道との転がり接触部の面圧が過大になる事の防止を図るものである。
【背景技術】
【０００２】
各種機械装置の回転支持部のうち、大きなラジアル荷重が加わる部分に、図６に示す様なラジアルころ軸受１が組み込まれている。このラジアルころ軸受１は、使用時にも回転しないハウジング（又は使用時に回転する歯車やローラ）等の外径側部材２の内周面に設けた円筒面状の外輪軌道３と、回転軸（又は支持軸）等の軸４の外周面に設けた円筒面状の内輪軌道５との間に、複数のころ（ニードル）６を、図６〜７に示す様な保持器７により保持した状態で転動自在に設けて成る。
【０００３】
このうちの保持器７は、例えば、合成樹脂を射出成形する事により一体に造られ、全体を円筒状に構成している。この様な保持器７は、軸方向に間隔をあけて互いに同心に配置された、それぞれが円環状である１対のリム部８ａ、８ｂと、円周方向に亙って間欠的に、これら両リム部８ａ、８ｂ同士の間に掛け渡される状態で設けられた複数本の柱部９、９とを備える。そして、円周方向に隣り合う柱部９、９と前記両リム部８ａ、８ｂとにより四周を囲まれた部分を、それぞれ前記各ころ６を転動自在に保持する為のポケット１０、１０としている。この様な保持器７は、これら各ポケット１０、１０内に前記各ころ６を転動自在に保持した状態で、前記外径側部材２の内周面と前記軸４の外周面との間に、これら外径側部材２及び軸４に対する相対回転を自在に設けられている。そして、前記保持器７は、前記各ころ６の公転運動に伴って、前記外径側部材２及び前記軸４に対し回転する。
【０００４】
この様なラジアルころ軸受１を組み立てるべく、前記保持器７を、前記内輪軌道５の周囲に配置するには、この保持器７を、前記軸４の端部から挿通し、更に前記内輪軌道５の周囲まで軸方向に移動させる。ところが、この場合に、前記軸４の外周面のうち、軸方向に関してこの軸４の端部と前記内輪軌道５との間部分に、その外径寸法が前記保持器７の内径寸法よりも大きい、外向フランジ状の鍔部等の障害物が存在すると、この障害物が邪魔になって、前記保持器７を前記内輪軌道５の周囲まで軸方向に移動させる事ができなくなる。
【０００５】
そこで、この様な不都合を解消できる保持器として、例えば特許文献１には、円周方向１箇所に不連続部を設けた保持器（割型保持器）が記載されている。図８は、前記特許文献１に記載された保持器７ａを示している。この保持器７ａは、円周方向１箇所に不連続部１１を設けている。又、この不連続部１１を挟んで設けられた端部（円周方向一端部１２、円周方向他端部１３）同士を、係合部１４により係合（凹凸係合）させて、軸方向に関する相対変位を抑えている。
【０００６】
この為に、前記係合部１４を、前記円周方向一端部１２に形成した第一の凹凸部１５と、前記円周方向他端部１３に形成した第二の凹凸部１６とにより構成している。
このうちの第一の凹凸部１５は、前記円周方向一端部１２の軸方向両端寄り部分に、円周方向（前記円周方向他端部１３側）に延出した状態で形成した１対の第１の係合凸部１７、１７と、軸方向中間部（両第一の係合凸部１７、１７同士の軸方向に関する間部分）に、円周方向（前記円周方向他端部１３と反対側）に凹入した状態で形成した第一の係合凹部１８とにより構成している。
【０００７】
一方、前記第二の凹凸部１６は、前記円周方向他端部１３の、軸方向中間部に円周方向（前記円周方向一端部１２側）に突出した状態で形成した第二の係合凸部１９と、軸方向両端寄り部分（この第二の係合凸部１９の軸方向両側）に、円周方向（前記円周方向一端部１２と反対側）に凹入した状態で形成した１対の第二の係合凹部２０、２０とにより構成している。
【０００８】
そして、前記両第一の係合凸部１７、１７（第一の係合凹部１８）と前記両第二の係合凹部２０、２０（第二の係合凸部１９）とを凹凸係合させている。この様に凹凸係合した状態で、前記両第一の係合凸部１７、１７と、前記第二の係合凸部１９とは、軸方向に関し係合して、前記保持器７ａの円周方向一端部１２と円周方向他端部１３との軸方向に関する相対変位を抑える。
【０００９】
上述の様な構成を有する前記保持器７ａの場合には、この保持器７ａを弾性変形させる事に基づいて、前記不連続部１１の幅を円周方向に拡げる事ができる。この為、この不連続部１１の幅を、前記保持器７ａを組み付ける回転軸等の軸の外径寸法よりも大きく拡げる事で、前記不連続部１１の間にこの軸を通過させる様にして、前記保持器７ａをこの軸の周囲に組み付ける事も可能になるし、或いは、前記保持器７ａの内径寸法を、前記障害物を乗り越えられる程度に弾性的に拡げる事で、この保持器７ａを前記軸の周囲に軸方向に移動させて組み付ける事も可能になる。
【００１０】
ところが、上述した様な構成を有する保持器７ａの場合には、各ポケット１０、１０のうちの円周方向一端のポケット２１と、円周方向他端のポケット２２との、前記不連続部１１を挟んだ円周方向に関する間隔が、他の部分の各ポケット１０、１０同士の円周方向に関する間隔と比べて大きくなる。この為、運転時に、前記円周方向一端のポケット２１及び前記円周方向他端のポケット２２内に配置された各ころ６（図６参照）が負荷領域に入り込んだ際、これら各ころ６の転動面と、前記外輪、内輪両軌道３、５（図６参照）との転がり接触部の面圧が過大になってしまう可能性がある。
【００１１】
そこで、特許文献１には、図９に示す様な保持器７ｂが記載されている。この保持器７ｂは、図８に示した保持器７ａの構造と同様に、第一の凹凸部１５ａを構成する第一の係合凹部１８ａ（１対の第一の係合凸部１７ａ、１７ａ）と、第二の凹凸部１６ａを構成する第二の係合凸部１９ａ（１対の第二の係合凹部２０ａ、２０ａ）とを凹凸係合させている。又、前記保持器７ｂの場合、前記第一の係合凹部１８ａと前記第二の係合凸部１９ａとを凹凸係合した状態で、この第一の係合凹部１８ａの内側面の奥端寄り部分と、前記第二の係合凸部１９ａの先端面とで四周を囲む部分に、その内側にころ（図示省略）を転動自在に保持する為の係合部側ポケット２３を設けている。従って、この様な係合部側ポケット２３の内側面は、前記第一の係合凹部１８ａの内側面のうちの軸方向両側面と前記第二の係合凸部１９ａの先端面の軸方向両端縁との当接部分が、不連続である。
【００１２】
上述の様な保持器７ｂの場合、円周方向一端のポケット２１と、円周方向他端のポケット２２と（円周方向一端のポケット、又は円周方向他端のポケットと言う場合には、係合部側ポケットを除く）の、不連続部１１ａを挟んだ円周方向に関する間部分に、前記第一の係合凹部１８ａと前記第二の係合凸部１９ａとを組み合わせた状態で、前記係合部側ポケット２３を設けている。この為、前述した保持器７ａ（図８参照）の円周方向一端のポケット２１と、円周方向他端のポケット２２との、不連続部１１を挟んだ円周方向に関する間隔の様に、他の部分の各ポケット１０、１０同士の円周方向に関する間隔と比べて、著しく大きくなる部分が存在しない。従って、運転時に、負荷領域に入り込んだ各ころ６の転動面と、外輪、内輪軌道３、５との転がり接触部の面圧が、他の部分と比べて過大になる様な部分も存在しない。但し、前記第一の凹凸部１５ａと、前記第二の凹凸部１６ａとの係合により前記保持器７ｂの一端部と他端部との軸方向に関する相対変位は規制しているものの、円周方向に関する相対変位は規制していない。この為、保持器７ｂが弾性変形して拡径した場合、前記第一の係合凹部１８ａと、第二の係合凸部１９ａとの係合状態が変化する事に伴い、前記係合部側ポケット２３の円周方向に関する幅が拡がる等して、前記係合部側ポケット２３内にころを安定して保持する事ができない可能性がある。
又、前記保持器２１の円周方向他端部のうち、前記第二の係合凸部１９ａ部分の円周方向に関する寸法（厚さ）が特に大きくなる。この様な、円周方向に関する寸法（厚さ）が他の部分に比べて大きい（不均一な）部分には、射出成形の際、所謂反り（変形）が生じ易い。
【先行技術文献】
【特許文献】
【００１３】
【特許文献１】特開２００５−２３３３１６号公報
【発明の概要】
【発明が解決しようとする課題】
【００１４】
本発明は、上述の様な事情に鑑みて、円周方向の少なくとも１箇所に不連続部を有し、この不連続部を挟んで設けられた端部同士を係合部により係合しているラジアルころ軸受用保持器に関して、運転時に、この係合部を円周方向に挟んだ各ポケット内に配置された各ころが、負荷領域に入り込んだ際、これら各ころの転動面と、外輪、内輪各軌道との転がり接触部の面圧が過大になる事の防止を図ると共に、前記係合部を構成する凸部に設けた係合部側ポケット内に、ころを安定して保持できる構造を実現すべく発明したものである。
【課題を解決するための手段】
【００１５】
本発明のラジアルころ軸受用保持器は、少なくとも円周方向１箇所に不連続部を有するものであり、複数個のリム部と、複数本の柱部と、複数個のポケットと、係合部とを備える。
このうちの各リム部は、それぞれが欠円環状で、軸方向に間隔をあけて互いに同心に設けられている。
又、前記各柱部は、円周方向に亙って間欠的に、前記各リム部同士の間に掛け渡される状態で設けられている。
又、前記各ポケットは、軸方向に隣り合うリム部と円周方向に隣り合う柱部とにより四周を囲まれる部分に設けられている。
更に、前記係合部は、前記不連続部を挟んで設けられた端部同士の少なくとも一方の軸方向に関する相対変位を不能に係合する為のものである。
【００１６】
特に本発明のラジアルころ軸受用保持器に於いては、前記係合部は、前記不連続部を挟んで設けられた端部のうちの、一方の端部に、円周方向に延出する状態で設けられた第一の係合凸部と、他方の端部に、円周方向に延出する状態で設けられた第二の係合凸部とを軸方向に関して係合させて成るものである。又、前記第一の係合凸部と、この第二の係合凸部とのうちの少なくとも一方の凸部に、当該凸部を径方向に貫通した状態で、係合部側ポケットを形成している。尚、係合部側ポケットを形成する位置は、この係合部側ポケットの一部が、前記各第一、第二の係合凸部上に配置されており、その他の部分がこれら各第一、第二の係合凸部から外れている様な状態をも含むものである。
【発明の効果】
【００１７】
上述の様に構成する本発明のラジアルころ軸受用保持器によれば、運転時に、円周方向一端のポケット及び円周方向他端のポケット内に配置された各ころが、負荷領域に入り込んだ際、これら各ころの転動面と、外輪、内輪各軌道との転がり接触部の面圧が過大になる事を防止できると共に、係合部に設けた係合部側ポケット内に、ころを安定して保持できる。
【００１８】
先ず、運転時に、円周方向一端のポケット及び円周方向他端のポケット内に配置された各ころが、負荷領域に入り込んだ際、これら各ころの転動面と、外輪、内輪各軌道との転がり接触部の面圧が過大になる事を防止できる理由は、係合部を構成する第一の係合凸部と、第二の係合凸部とのうちの少なくとも一方の凸部に、これら凸部を径方向に貫通した状態で係合部側ポケットを形成しているからである。即ち、この様な係合部側ポケットを設ける事により、図８に示す従来構造の保持器７ａの円周方向一端のポケット２１と、円周方向他端のポケット２２との、不連続部１１を挟んだ円周方向に関する間隔の様に、他の部分の各ポケット同士の円周方向に関する間隔と比べて、著しく大きくなる部分をなくす事ができる。その結果、前記円周方向一端のポケット及び前記円周方向他端のポケットに保持した各ころの転動面と、外輪、内輪軌道との転がり接触部の面圧が過大になる事を防止できる。
【００１９】
又、係合部に設けた係合部側ポケット内に、ころを安定して保持する事ができる理由は、この係合部側ポケットを、この係合部を構成する第一の係合凸部と、第二の係合凸部とのうちの少なくとも一方の凸部に、これら各凸部を径方向に貫通した状態で形成しているからである。即ち、本発明の保持器が有する係合部側ポケットの場合、当該係合部側ポケットに関して同じ凸部に形成しており、その周方向に関する幅寸法が変化する事はない。この為、前記係合部の係合状態が変化しても、前記係合部側ポケット内に、ころを安定して保持する事ができる。
【００２０】
更に、本発明の対象となるラジアルころ軸受用保持器を射出成形により成形する場合に、係合部に反り（変形）が生じる事を防止できる。即ち、本発明の場合、係合部を構成する第一の係合凸部と、第二の係合凸部とのうちの少なくとも一方の凸部に、これら凸部を径方向に貫通した状態で係合部側ポケット（貫通孔）を形成している。この為、この係合部側ポケット（貫通孔）を形成した第一、第二の係合凸部の円周方向に関する寸法（厚さ）が特に大きくなる事はない。その結果、円周方向に関する寸法（厚さ）が不均一な部分が少なくなり、射出成形の際、前記係合部に所謂反り（変形）が生じる事を抑えられる。
【図面の簡単な説明】
【００２１】
【図１】本発明の実施の形態の第１例を示す斜視図。
【図２】同第２例を示す斜視図。
【図３】同第３例を示す斜視図。
【図４】同第４例を示す斜視図。
【図５】同第５例を示す斜視図。
【図６】保持器を備えたラジアルころ軸受を組み込んだ回転支持部の断面図。
【図７】従来構造の第１例を示す、保持器の円周方向一部を径方向外方から見た図。
【図８】同じく、第２例を示す、ラジアルころ軸受用保持器の斜視図。
【図９】同じく、第３例を示す、図８と同様の図。
【発明を実施するための形態】
【００２２】
［実施の形態の第１例］
図１は、本発明の実施の形態の第１例を示している。尚、本発明の特徴は、円周方向の少なくとも一部に不連続部１１ｂを有し、この不連続部１１ｂを挟んで設けられた端部（円周方向一端部１２ａ、円周方向他端部１３ａ）同士を係合部１４ａにより係合しているラジアルころ軸受用保持器７ｃに関して、この係合部１４ａの構造を工夫した点にある。その他の構造は、図６〜９に示した従来構造を含め、従来から知られているラジアルころ軸受用保持器の構造とほぼ同様であるから、従来と同様に構成する部分に就いては説明を省略若しくは簡略にし、以下、本例の特徴部分を中心に説明する。
【００２３】
本例のラジアルころ軸受用保持器７ｃは、円周方向の１箇所に不連続部１１ｂを有している。又、この不連続部１１ｂを挟んで設けられた円周方向一端部１２ａと、円周方向他端部１３ａとを、係合部１４ａにより、これら両端部１２ａ、１３ａ同士の軸方向に関する相対変位を抑えた（実質的に阻止した）状態で係合している。
この様な係合部１４ａは、前記円周方向一端部１２ａに形成された第一の凹凸部１５ｂと、前記円周方向他端部１３ａに形成された第二の凹凸部１６ｂとから成る。
【００２４】
このうちの第一の凹凸部１５ｂは、第一の係合凸部１７ｂと、１対の第一の係合凹部１８ｂ、１８ｂとから成る。この第一の係合凸部１７ｂは、軸方向一方のリム部８ａの軸方向中間部から軸方向他方のリム部８ｂの軸方向中間部に掛けての部分に、円周方向（前記円周方向他端部１３ａ側）に延出した状態で形成している。又、前記両第一の係合凹部１８ｂ、１８ｂは、前記第一の係合凸部１７ｂの軸方向両端側（第一の係合凸部１７ｂを軸方向に挟む位置）に、円周方向（前記円周方向他端部１３ａと反対方向）に凹入した状態で形成している。
【００２５】
又、前記第二の凹凸部１６ｂは、１対の第二の係合凸部１９ｂ、１９ｂと、第二の係合凹部２０ｂとから成る。このうちの両第二の係合凸部１９ｂ、１９ｂは、軸方向一方のリム部８ａの軸方向一端（図１の左端）から軸方向中間部に掛けての部分と、軸方向他方のリム部８ｂの軸方向中間部から軸方向他端（図１の右端）に掛けての部分とに、それぞれ円周方向（前記円周方向一端部１２ａ側）に延出した状態で形成している。又、前記第二の係合凹部２０ｂは、前記軸方向一方のリム部８ａの軸方向中間部から前記軸方向他方のリム部８ｂの軸方向中間部に掛けての部分（前記両第二の係合凸部１９ｂ、１９ｂ同士の軸方向に関する間部分）に、円周方向（前記円周方向一端部１２ａと反対方向）に凹入した状態で形成している。
【００２６】
本例の場合、前記第一の凹凸部１５ｂを構成する第一の係合凸部１７ｂ（両第一の係合凹部１８ｂ、１８ｂ）と、前記第二の凹凸部１６ｂを構成する第二の係合凹部２０ｂ（両第二の係合凸部１９ｂ、１９ｂ）とを凹凸係合させている。この様に凹凸係合した状態で、前記第一の係合凸部１７ｂと、前記第二の係合凸部１９ｂ、１９ｂとを軸方向に関し係合させて、前記円周方向一端部１２ａと、前記円周方向他端部１３ａとの軸方向に関する相対変位を規制（実質的に阻止）している。
【００２７】
又、本例の場合、前記第一の係合凸部１７ｂに、この第一の係合凸部１７ｂを径方向に貫通した状態で、係合部側ポケット２３ａを形成している。即ち、本例の場合、この係合部側ポケット２３ａを、前記第一の係合凸部１７ｂに、径方向両側のみ開口した状態で形成している。この為、前記係合部側ポケット２３ａの内側面は、四周に亙り切れ目なく連続している。尚、本例の場合、この係合部側ポケット２３ａの形状及び大きさを、他の各ポケット１０ａ、１０ａと同じにしている。
【００２８】
又、この係合部側ポケット２３ａは、前記第一の凹凸部１５ｂ側の一部（円周方向に関する幅寸法の２／３程度）を前記第一の係合凸部１７ｂに形成しており、前記第一の凹凸部１５ｂと反対側の一部（円周方向に関する幅寸法の１／３程度）を、前記第一の係合凸部１７ｂから外れた位置に形成している。但し、係合部側ポケット２３ａ全体を、この第一の係合凸部１７ｂに形成する事もできる。この様な係合部側ポケット２３ａを設ける場合に、好ましくは、この係合部側ポケット２３ａと、この係合部側ポケット２３ａと円周方向に隣り合う円周方向一端のポケット２１ａ、又は円周方向他端のポケット２２ａとの、円周方向に関する間隔（ピッチ）を、他の各ポケット１０ａ、１０ａ同士の円周方向に関する間隔（ピッチ）とほぼ同じにする。
【００２９】
本例の場合、前記係合部側ポケット２３ａと円周方向一端のポケット２１ａとの円周方向に関する間隔は、他の部分の各ポケット１０ａ、１０ａ同士の円周方向に関する間隔と等しくしている。一方、前記係合部側ポケット２３ａと円周方向他端のポケット２２ａとの、前記不連続部１１ｂを挟んだ円周方向に関する間隔は、他の部分の各ポケット１０ａ、１０ａ同士の円周方向に関する間隔よりも、少しだけ大きくしている。尚、これら各ポケット１０ａ、１０ａ、及び前記係合部側ポケット２３ａの、径方向両端の開口部の円周方向に関する間隔を、これら各ポケット１０ａ、２３ａ内に配置する各ころの直径よりも僅かに小さくする、所謂パチン止め等の、これら各ころの抜け止め構造を採用する事もできる。この様な構造を採用した場合には、前記各ポケット１０ａ、２３ａの、径方向両端の開口部のうちの何れかの開口部の円周方向に関する間隔を弾性変形により拡げて、前記各ころをこれら各ポケット１０ａ、２３ａ内に組み込む。
【００３０】
この様な本例のラジアルころ軸受用保持器７ｃによれば、運転時に、前記円周方向一端のポケット２１ａ及び円周方向他端のポケット２２ａ内に配置された各ころ６（図６参照）が、負荷領域に入り込んだ際、これら各ころ６の転動面と、外輪、内輪両軌道３、５（図６参照）との転がり接触部の面圧が過大になる事の防止を図ると共に、前記係合部１４ａに設けた係合部側ポケット２３ａ内に、ころを安定して保持する事ができる。
【００３１】
先ず、運転時に、円周方向一端のポケット２１ａ及び円周方向他端のポケット２２ａ内に配置された各ころ６が、負荷領域に入り込んだ際、これら各ころ６の転動面と、外輪、内輪各軌道３、５との転がり接触部の面圧が過大になる事を防止できる理由は、前記係合部１４ａを構成する第一の係合凸部１７ｂに、この第一の係合凸部１７ｂを径方向に貫通した状態で前記係合部側ポケット２３ａを形成しているからである。即ち、この様な係合部側ポケット２３ａを設ける事により、図８に示す従来構造の保持器７ａの円周方向一端のポケット２１と、前記円周方向他端のポケット２２との、不連続部１１を挟んだ円周方向に関する間隔の様に、他の各ポケット１０、１０同士の円周方向に関する間隔と比べて、著しく大きくなる部分をなくす事ができる。その結果、前記円周方向一端のポケット２１ａ及び前記円周方向他端のポケット２２ａに保持した各ころ６の転動面と、外輪、内輪軌道３、５との、転がり接触部の面圧が過大になる事の防止を図れる。
【００３２】
又、前記係合部１４ａに設けた係合部側ポケット２３ａ内に、ころを安定して保持できる理由は、この係合部側ポケット２３ａを、前記係合部１４ａを構成する第一の係合凸部１７ｂに、この第一の係合凸部１７ｂを径方向に貫通した状態で形成しているからである。即ち、本例の保持器７ｃが有する係合部側ポケット２３ａの場合、その内側面は全周（四周）に亙り切れ目なく連続している。この為、前記係合部１４ａの係合状態が変化しても、前記係合部側ポケット２３ａの円周方向に関する幅が変化する事はない。その結果、前記係合部側ポケット２３ａ内に、ころを安定して保持する事ができる。
【００３３】
更に、本例のラジアルころ軸受用保持器７ｃを射出成形により造る場合、前記係合部１４ａを構成する第一の凹凸部１５ｂに反り（変形）が生じる事を抑えられる。即ち、本例の場合、前記係合部１４ａを構成する第一の係合凸部１７ｂに前記係合部側ポケット２３ａ（貫通孔）を形成している。この為、この第一の係合凸部１７ｂの円周方向に関する寸法（厚さ）が、他の部分の寸法に比べて著しく大きくなる事はない。その結果、射出成形の際、前記第一の凹凸部１５ｂに反り（変形）が生じる事を抑えられる。
【００３４】
［実施の形態の第２例］
図２は、本発明の実施の形態の第２例を示している。本例のラジアルころ軸受用保持器７ｄは、複列に配置されたころ６（図６参照）を転動自在に保持する為のものである。この様な保持器７ｄは、軸方向一端側リム部２４と、軸方向他端側リム部２５と、これら軸方向一端側、他端側両リム部２４、２５の軸方向中央部に設けられた中央リム部２６とを、軸方向に間隔をあけて互いに同心に配置している。
【００３５】
又、円周方向に亙って間欠的に、前記軸方向一端側リム部２４と、中央リム部２６との間に掛け渡される状態で複数本の一方側柱部２７、２７を設けている。そして、円周方向に隣り合う一方側柱部２７、２７と前記軸方向一端側、中央両リム部２４、２６とにより四周を囲まれた部分を、それぞれころ（図示省略）を転動自在に保持する為の一方側ポケット２９、２９としている。
【００３６】
一方、円周方向に亙って間欠的に、前記軸方向他端側リム部２５と、前記中央リム部２６との間に掛け渡される状態で複数本の他方側柱部２８、２８を設けている。そして、円周方向に隣り合う他方側柱部２８、２８と前記軸方向他端側、中央両リム部２５、２６とにより四周を囲まれた部分を、それぞれころを転動自在に保持する為の他方側ポケット３０、３０としている。又、本例の場合、前記各一方側ポケット２９、２９と、他方側ポケット３０、３０との円周方向に関する位相を１／２ピッチ分だけずらせている。
【００３７】
又、本例の保持器７ｄも、前述した実施の形態の第１例と同様に、円周方向の１箇所に不連続部１１ｃを有している。又、この不連続部１１ｃを挟んで設けられた円周方向一端部１２ｂと、円周方向他端部１３ｂとを、係合部１４ｂにより、これら両端部１２ｂ、１３ｂ同士の軸方向一方（円周方向一端部１２ｂと、円周方向他端部１３ｂとが軸方向に関して近付く方向）への相対変位を阻止した状態で係合している。
この様な係合部１４ｂは、前記円周方向一端部１２ｂに形成された第一の凹凸部１５ｃと、前記円周方向他端部１３ｂに形成された第二の凹凸部１６ｃとから成る。
【００３８】
このうちの第一の凹凸部１５ｃは、第一の係合凸部１７ｃと、第一の係合凹部１８ｃとから成る。この第一の係合凸部１７ｃは、前記保持器７ｄの軸方向一端（図２の左側）から前記中央リム部２６の軸方向中央部に掛けての部分に、円周方向（前記円周方向他端部１３ｂ側）に延出した状態で形成している。一方、前記第一の係合凹部１８ｃは、前記中央リム部２６の軸方向中央部から前記保持器７ｄの軸方向他端（図２の右側）に掛けての部分に、円周方向（前記円周方向他端部１３ｂと反対方向）に凹入した状態で形成している。
【００３９】
又、前記第二の凹凸部１６ｃは、第二の係合凸部１９ｃと、第二の係合凹部２０ｃとから成る。このうちの第二の係合凸部１９ｃは、前記保持器７ｄの前記中央リム部２６の軸方向中央部から前記保持器７ｄの軸方向他端に掛けての部分に、円周方向（前記円周方向一端部１２ｂ側）に延出した状態で形成している。一方、前記第二の係合凹部２０ｃは、前記保持器７ｄの軸方向一端から前記中央リム部２６の軸方向中央部に掛けての部分に、円周方向（前記円周方向一端部１２ｂと反対方向）に凹入した状態で形成している。
【００４０】
本例の場合、前記第一の凹凸部１５ｃを構成する第一の係合凸部１７ｃ（第一の係合凹部１８ｃ）と、前記第二の凹凸部１６ｃを構成する第二の係合凹部２０ｃ（第二の係合凸部１９ｃ）とを凹凸係合させている。この様に凹凸係合した状態で、前記第一の係合凸部１７ｃと、前記第二の係合凸部１９ｃとを軸方向に関し係合させて、前記円周方向一端部１２ｂと、前記円周方向他端部１３ｂとの軸方向一方（円周方向一端部１２ｂと円周方向他端部１３ｂとが軸方向に関して近付く方向）への相対変位を阻止している。
【００４１】
又、本例の場合、前記第一の係合凸部１７ｃに、この第一の係合凸部１７ｃを径方向に貫通した状態で、一方の係合部側ポケット３１を形成している。即ち、本例の場合も、この一方の係合部側ポケット３１を、前記第一の係合凸部１７ｃに、径方向両側のみ開口した状態で形成している。この為、前記一方の係合部側ポケット３１の内側面は、四周に亙り切れ目なく連続している。尚、本例の場合、この一方の係合部側ポケット３１の形状及び大きさを、他の各一方側ポケット２９、２９と同じとしている。又、この一方の係合部側ポケット３１は、前記第一の凹凸部１５ｃ側の半部を前記第一の係合凸部１７ｃに形成しており、この第一の凹凸部１５ｃと反対側の半部を、この第一の係合凸部１７ｃから外れた位置に形成している。但し、一方の係合部側ポケット全体を、この第一の係合凸部１７ｃに形成する事もできる。
【００４２】
又、本例の場合、前記第二の係合凸部１９ｃにも、この第二の係合凸部１９ｃを径方向に貫通した状態で、他方の係合部側ポケット３２を形成している。即ち、この他方の係合部側ポケット３２も、前記第二の係合凸部１９ｃに、径方向両側のみ開口した状態で形成している。この為、前記他方の係合部側ポケット３２の内側面は、四周に亙り切れ目なく連続している。尚、この他方の係合部側ポケット３２の形状及び大きさは、他の各他方側ポケット３０、３０と同じとしている。又、この他方の係合部側ポケット３２は、前記第二の凹凸部１６ｃ側の半部を前記第二の係合凸部１９ｃに形成しており、この第二の凹凸部１６ｃと反対側の半部を、この第二の係合凸部１９ｃから外れた位置に形成している。但し、他方の係合部側ポケット全体を、この第二の係合凸部１９ｃに形成する事もできる。その他の構成及び作用・効果に就いては、前述した実施の形態の第１例の場合とほぼ同様である。
【００４３】
［実施の形態の第３例］
図３は、本発明の実施の形態の第３例を示している。本例のラジアルころ軸受用保持器７ｅは、３列に配置されたころ（図示省略）を転動自在に保持する為のものである。この様な保持器７ｅは、軸方向一端側リム部２４ａと、軸方向他端側リム部２５ａと、これら軸方向一端側、他端側両リム部２４ａ、２５ａの軸方向に関する間部分に設けられた一端寄り中間リム部３３と、他端寄り中間リム部３４とを、軸方向に間隔をあけて互いに同心に配置している。又、円周方向に亙って間欠的に、前記軸方向一端側リム部２４ａと一端寄り中間リム部３３との間に掛け渡される状態で、複数本の一方側柱部２７ａ、２７ａを設けている。そして、円周方向に隣り合う一方側柱部２７ａ、２７ａと前記軸方向一端側、一端寄り中間両リム部２４ａ、３３とにより四周を囲まれた部分を、それぞれころを転動自在に保持する為の一方側ポケット２９ａ、２９ａとしている。
【００４４】
又、円周方向に亙って間欠的に、前記一端寄り中間リム部３３と前記他端寄り中間リム部３４との間に掛け渡される状態で、複数本の中央側柱部３５、３５を設けている。そして、円周方向に隣り合う中央側柱部３５、３５と前記一端寄り、他端寄り両中間リム部３３、３４とにより四周を囲まれた部分を、それぞれころを転動自在に保持する為の中央側ポケット３６、３６としている。
【００４５】
又、円周方向に亙って間欠的に、前記他端寄り中間リム部３４と、前記軸方向他端側リム部２５ａとの間に掛け渡される状態で複数本の他方側柱部２８ａ、２８ａを設けている。そして、円周方向に隣り合う他方側柱部２８ａ、２８ａ、と前記他端寄り中間、軸方向他端側両リム部３４、２５ａとにより四周を囲まれた部分を、それぞれころを転動自在に保持する為の他方側ポケット３０ａ、３０ａとしている。又、本例の場合、前記各一方側、中央側、他方側各ポケット２９ａ、３６、３０ａを、円周方向に関する位相を同じ状態に設けている。
【００４６】
又、本例の保持器７ｅも、前述した実施の形態の各例と同様に、円周方向の１箇所に不連続部１１ｄを有している。又、この不連続部１１ｄを挟んで設けられた円周方向一端部１２ｃと、円周方向他端部１３ｃとを、係合部１４ｃにより、これら両端部１２ｃ、１３ｃ同士の軸方向に関する相対変位を実質的に阻止した状態で係合している。
この様な係合部１４ｃは、前記円周方向一端部１２ｃに形成された第一の凹凸部１５ｄと、前記円周方向他端部１３ｃに形成された第二の凹凸部１６ｄとから成る。
【００４７】
このうちの第一の凹凸部１５ｄは、第一の係合凸部１７ｄと、１対の第一の係合凹部１８ｄ、１８ｄとから成る。この第一の係合凸部１７ｄは、前記一端寄り中間リム部３３の軸方向中間部から、前記他端寄り中間リム部３４の軸方向中間部に掛けての部分に、円周方向（前記円周方向他端部１３ｃ側）に延出した状態で形成している。又、前記両第一の係合凹部１８ｄ、１８ｄのうちの、軸方向一方側（図３の左側）の第一の係合凹部１８ｄは、前記保持器７ｅの軸方向一端部から前記一端寄り中間リム部３３の軸方向中間部に掛けての部分（前記第一の係合凸部１７ｄよりも軸方向一方側部分）に、円周方向（前記円周方向他端部１３ｃと反対方向）に凹入した状態で形成している。又、前記両第一の係合凹部１８ｄ、１８ｄのうちの、軸方向他方側（図３の右側）の第一の係合凹部１８ｄは、前記他端寄り中間リム部３４の軸方向中間部から前記保持器７ｅの軸方向他端部に掛けての部分（前記第一の係合凸部１７ｄよりも軸方向他方側部分）に、円周方向（前記円周方向他端部１３ｃと反対方向）に凹入した状態で形成している。
【００４８】
又、前記第二の凹凸部１６ｄは、１対の第二の係合凸部１９ｄ、１９ｄと、第二の係合凹部２０ｄとから成る。これら両第二の係合凸部１９ｄ、１９ｄのうちの、軸方向一方側（図３の左側）の第二の係合凸部１９ｄは、前記保持器７ｅの軸方向一端部から前記一端寄り中間リム部３３の軸方向中間部に掛けての部分に、円周方向（前記円周方向一端部１２ｃ側）に延出した状態で形成している。又、前記両第二の係合凸部１９ｄ、１９ｄのうちの、軸方向他方側（図３の右側）の第二の係合凸部１９ｄは、前記他端寄り中間リム部３４の軸方向中間部から前記保持器７ｅの軸方向他端部に掛けての部分に、円周方向（前記円周方向他端部１２ｃ側）に延出した状態で形成している。又、前記第二の係合凹部２０ｄは、前記一端寄り中間リム部３３の軸方向中間部から、前記他端寄り中間リム部３４の軸方向中間部に掛けての部分（前記両第二の係合凸部１９ｄ、１９ｄ同士の軸方向に関する間部分）に、円周方向（前記円周方向一端部１２ｃと反対方向）に凹入した状態で形成している。
【００４９】
本例の場合、前記第一の凹凸部１５ｄを構成する第一の係合凸部１７ｄ（両第一の係合凹部１８ｄ、１８ｄ）と、前記第二の凹凸部１６ｄを構成する第二の係合凹部２０ｄ（両第二の係合凸部１９ｄ、１９ｄ）とを凹凸係合させている。この様に凹凸係合した状態で、前記第一の係合凸部１７ｄと、前記両第二の係合凸部１９ｄ、１９ｄとを軸方向に関して係合させる事により、前記円周方向一端部１２ｃと、前記円周方向他端部１３ｃとの軸方向に関する相対変位を実質的に阻止している。
【００５０】
又、本例の場合、前記第一の係合凸部１７ｄに、この第一の係合凸部１７ｄを径方向に貫通した状態で、一方の係合部側ポケット３１ａを形成している。即ち、本例の場合も、この一方の係合部側ポケット３１ａを、前記第一の係合凸部１７ｄに、径方向両側のみ開口した状態で形成している。この為、前記一方の係合部側ポケット３１ａの内側面は、四周に亙り切れ目なく連続している。尚、本例の場合、この一方の係合部側ポケット３１ａの形状及び大きさを、他の各中央側ポケット３６、３６と同じとしている。又、この一方の係合部側ポケット３１ａは、前記第一の凹凸部１５ｄ側の一部（円周方向に関する幅寸法の２／３程度）を前記第一の係合凸部１７ｄに形成しており、この第一の凹凸部１５ｄと反対側の一部（円周方向に関する幅寸法の１／３程度）を、この第一の係合凸部１７ｄから外れた位置に形成している。但し、一方の係合部側ポケット全体を、この第一の係合凸部１７ｄに形成する事もできる。
【００５１】
又、本例の場合、前記両第二の係合凸部１９ｄ、１９ｄのそれぞれに、これら両第二の係合凸部１９ｄ、１９ｄを径方向に貫通した状態で、他方の係合部側ポケット３２ａ、３２ａを形成している。即ち、これら両他方の係合部側ポケット３２ａ、３２ａを、前記両第二の係合凸部１９ｄ、１９ｄに、径方向両側のみ開口した状態で形成している。この為、前記両他方の係合部側ポケット３２ａ、３２ａの内側面は、四周に亙り切れ目なく連続している。尚、これら両他方の係合部側ポケット３２ａ、３２ａの形状及び大きさは、他の各一方側、他方側各ポケット２９ａ、３０ａと同じとしている。又、これら両他方の係合部側ポケット３２ａ、３２ａは、前記第二の凹凸部１６ｄ側の半部を前記両第二の係合凸部１９ｄ、１９ｄに形成しており、この第二の凹凸部１６ｄと反対側の半部を、これら両第二の係合凸部１９ｄ、１９ｄから外れた位置に形成している。但し、前記両他方の係合部側ポケット３２ａ、３２ａ全体を、前記両第二の係合凸部１９ｄ、１９ｄに形成する事もできる。その他の構成及び作用・効果に就いては、前述した実施の形態の第１例の場合とほぼ同様である。
【００５２】
［実施の形態の第４例］
図４は、本発明の実施の形態の第４例を示している。本例のラジアルころ軸受用保持器７ｆは、前述の図１に示した実施の形態の第１例の保持器７ｃの係合部１４ａに代えて、上述の図３に示した実施の形態の第３例の保持器７ｅの係合部１４ｃの構造を適用した如き構造を有している。この為、本例の場合、この係合部１４ｃを構成する第一の凹凸部１５ｃの第一の係合凸部１７ｃに形成した一方の係合部側ポケット３１ａの軸方方向寸法は、前記保持器７ｆの各ポケット１０ａ、１０ａの軸方向寸法の１／３以下と短くしている。同じく、前記係合部１４ｃを構成する第二の凹凸部１６ｃの両第二の係合凸部１９ｃに形成した両他方の係合部側ポケット３２ａ、３２ａの軸方方向寸法も、前記保持器７ｆの各ポケット１０ａ、１０ａの軸方向寸法の１／３以下と短くしている。
【００５３】
本例は、前記係合部１４ｃに形成した一方、他方の係合部側ポケット３１ａ、３２ａの形状と、前記保持器７ｆの各ポケット１０ａ、１０ａの形状とが異なる保持器の構造を例示したものである。本例の保持器７ｆの構造以外にも、例えば、係合部以外の構造を前述した実施の形態の第２例の保持器７ｄの構造（複列の構造）として、係合部の構造を本例の保持器７ｆの係合部１４ｃの構造とする事もできる。この様に、本例の構造を含めて、前述した各実施の形態の各例の係合部以外の構造と、係合部の構造とを適宜組み合わせて実施する事も可能である。その他の構成及び作用・効果に就いては、前述した実施の形態の第１例の場合とほぼ同様である。
【００５４】
［実施の形態の第５例］
図５は、本発明の実施の形態の第５例を示している。本例のラジアルころ軸受用保持器７ｇは、前述した実施の形態の第４例の保持器７ｆと比べて、係合部１４ｄを構成する第一の凹凸部１５ｄの第一の係合凸部１７ｄの軸方向寸法を小さくすると共に、１対の第一の係合凹部１８ｄ、１８ｄの軸方向寸法を大きくしている。
一方、前述した実施の形態の第４例の保持器７ｆと比べて、前記係合部１４ｄを構成する第二の凹凸部１６ｄの１対の第二の係合凸部１９ｄ、１９ｄの軸方向寸法を大きくすると共に、第二の係合凹部２０ｄの軸方向寸法を小さくしている。
この為に、前記第一の係合凸部１７ｄには、一方の係合部側ポケットを形成していない。但し、この第一の係合凸部１７ｄに、貫通孔（ころを配置するか否かを問わない）を設ける事もできる。又、前記両第二の係合凸部１９ｄ、１９ｄに、これら両第二の係合凸部１９ｄ、１９ｄを径方向に貫通した状態で、他方の係合部側ポケット３２ｂ、３２ｂを形成している。これら両他方の係合部側ポケット３２ｂ、３２ｂの軸方向寸法は、前述した実施の形態の第４例の他方の係合部側ポケット３２ａ、３２ａよりも大きい。その他の構成及び作用・効果に就いては、前述した実施の形態の第４例の場合とほぼ同様である。
【産業上の利用可能性】
【００５５】
前述した実施の形態の各例では、円周方向１箇所に不連続部を有する保持器の構造を対象としているが、円周方向複数個所に不連続部を有する（部分円筒形である複数の保持器素子のそれぞれの円周方向両端縁同士を係合させて成る所謂分割型）保持器の構造も、本発明の対象である。
又、前述した実施の形態の各例では、係合部を構成する第一、第二の凸部に形成した貫通孔をポケット（内側にころを配置する用途に使用するもの）としている。但し、第一、第二の凸部に形成した貫通孔をポケットとするか否かは、単なる用途の違いに過ぎず、何れの場合も、本発明の技術的範囲に属するものである。
【符号の説明】
【００５６】
１  ラジアルころ軸受
２  外径側部材
３  外輪軌道
４  軸
５  内輪軌道
６  ころ
７、７ａ、７ｂ、７ｃ、７ｄ、７ｅ、７ｆ、７ｇ  保持器
８ａ、８ｂ  リム部
９  柱部
１０、１０ａ  ポケット
１１、１１ａ、１１ｂ、１１ｃ、１１ｄ  不連続部
１２、１２ａ、１２ｂ、１２ｃ、  円周方向一端部
１３、１３ａ、１３ｂ、１３ｃ  円周方向他端部
１４、１４ａ、１４ｂ、１４ｃ、１４ｄ  係合部
１５、１５ａ、１５ｂ、１５ｃ、１５ｄ  第一の凹凸部
１６、１６ａ、１６ｂ、１６ｃ、１６ｄ  第二の凹凸部
１７、１７ａ、１７ｂ、１７ｃ、１７ｄ  第一の係合凸部
１８、１８ａ、１８ｂ、１８ｃ、１８ｄ  第一の係合凹部
１９、１９ａ、１９ｂ、１９ｃ、１９ｄ  第二の係合凸部
２０、２０ａ、２０ｂ、２０ｃ、２０ｄ  第二の係合凹部
２１、２１ａ  円周方向一端のポケット
２２、２２ａ  円周方向他端のポケット
２３、２３ａ  係合部側ポケット
２４、２４ａ  軸方向一端側リム部
２５、２５ａ  軸方向他端側リム部
２６  中央リム部
２７、２７ａ  一方側柱部
２８、２８ａ  他方側柱部
２９、２９ａ  一方側ポケット
３０、３０ａ  他方側ポケット
３１、３１ａ、３１ｂ  一方の係合部側ポケット
３２、３２ａ、３２ｂ  他方の係合部側ポケット
３３  一端寄り中間リム部
３４  他端寄り中間リム部
３５  中央側柱部
３６  中央側ポケット
【図１】
2014015984.tif 000003
【図２】
2014015984.tif 000004
【図３】
2014015984.tif 000005
【図４】
2014015984.tif 000006
【図５】
2014015984.tif 000007
【図６】
2014015984.tif 000008
【図７】
2014015984.tif 000009
【図８】
2014015984.tif 000010
【図９】
2014015984.tif 000011